(57)【要約】【課題】  郵便葉書に備えられたＲＦＩＤタグが、不正に第三者により情報をリーダで読み取ったり、不正に情報書込みされることを防止できる隠蔽葉書および隠蔽葉書用フォームを提供する。【解決手段】  略葉書大の大きさに区画された第１〜第３の３つの帳票部を有する基材が、略葉書大の大きさとなるようにＺ状に折り畳まれ、更に再剥離可能に接着されてなる構成を有する葉書であって、前記Ｚ状に折り畳まれた基材のうち、中央部に重ね合わされている第２の帳票部の基材にＲＦＩＤタグが内蔵され、更に、前記第１の帳票部と前記第２の帳票部が重ね合わされている間、または前記第２の帳票部と前記第３の帳票部が重ね合わされている間に、金属性隠蔽層が設けられていることを特徴とする。【選択図】        図１
2007001217.tif 000002
【特許請求の範囲】
【請求項１】
略葉書大の大きさに区画された第１〜第３の３つの帳票部を有する基材が、略葉書大の大きさとなるようにＺ状に折り畳まれ、更に再剥離可能に接着されてなる構成を有する葉書であって、
前記Ｚ状に折り畳まれた基材のうち、中央部に重ね合わされている第２の帳票部の基材にＲＦＩＤタグが内蔵され、更に、前記第１の帳票部と前記第２の帳票部が重ね合わされている間、または前記第２の帳票部と前記第３の帳票部が重ね合わされている間に、金属性隠蔽層が設けられていることを特徴とする隠蔽葉書。
【請求項２】
略葉書大の大きさに区画された第１〜第３の３つの帳票部を有する基材が、略葉書大の大きさとなるようにＺ状に折り畳まれ、更に再剥離可能に接着されてなる構成を有する葉書であって、
前記Ｚ状に折り畳まれた基材のうち、中央部に重ね合わされている第２の帳票部の基材にＲＦＩＤタグが内蔵され、更に、前記第１の帳票部と前記第２の帳票部とが重ね合わされている間と、前記第２の帳票部と前記第３の帳票部とが重ね合わされている間とに、それぞれ金属性隠蔽層が設けられていることを特徴とする隠蔽葉書。
【請求項３】
略葉書大の大きさに区画され、Ｚ状に折り畳んで使用する第１〜第３の３つの帳票部からなる基材と、前記基材面に形成された再剥離可能な接着剤層とを有する隠蔽葉書用フォームであって、
前記基材における３つの帳票部うち、Ｚ状に折り畳んだ際に、中央部に重ね合わされる第２の帳票部の基材にＲＦＩＤタグが内蔵され、
前記第１の帳票部の基材裏面側に金属性隠蔽層が形成されていることを特徴とする隠蔽葉書用フォーム。
【請求項４】
略葉書大の大きさに区画され、Ｚ状に折り畳んで使用する第１〜第３の３つの帳票部からなる基材と、前記基材面に形成された再剥離可能な接着剤層とを有する隠蔽葉書用フォームであって、
前記基材における３つの帳票部うち、Ｚ状に折り畳んだ際に、中央部に重ね合わされる第２の帳票部の基材にＲＦＩＤタグが内蔵され、
前記第３の帳票部の基材表面側に金属性隠蔽層が形成されていることを特徴とする隠蔽葉書用フォーム。
【発明の詳細な説明】
【技術分野】
【０００１】
本発明は、基材にＲＦＩＤタグ（ＩＣタグ）が内蔵された隠蔽葉書および隠蔽葉書用フォームに関する。
特に、隠蔽葉書が開封される前の状態で外部読取装置（リーダライタ）からＲＦＩＤタグと通信できないようにして、情報セキュリティの保護が図れるようにした隠蔽葉書および隠蔽葉書用フォームに関する。
【背景技術】
【０００２】
従来、ＲＦＩＤ（Radio Frequency Identification）タグを郵便葉書に設けることで、所望の情報が記憶されたＲＦＩＤタグを郵送により送れるようにした葉書が知られている。
これらのＲＦＩＤタグ付き葉書としては、例えば、ＲＦＩＤタグ付きカードを切り取り可能に保持した圧着はがきであって、当該圧着はがきが、宛先印字欄を有する第１はがき部と第２はがき部および第３はがき部が連接した圧着はがき用フォームを折り畳み圧着して形成されたもので、第１はがき部と第２はがき部は剥離可能に接着され、第２はがき部と第３はがき部は剥離不可能に強接着されたものにおいて、ＲＦＩＤタグ付きカードが第２はがき部または第３はがき部に装着されていて、第２はがき部および第３はがき部に設けたカード外形状のミシン目線から切り取り可能にされているＲＦＩＤタグ付き圧着はがきが公知となっている。（例えば、特許文献１参照）
【特許文献１】特開２００３−１４１４９２号公報
【０００３】
そして、郵送で送られるＲＦＩＤタグは、会員カードなどとして使用できるように、ＲＦＩＤタグのメモリに会員ＩＤや照合用の暗証番号などを記憶させて送れるので、簡易で安価に会員カードなどを発送することができるので便利であるという利点があるものの、受取人に渡る前の段階で、不正に第三者によりＲＦＩＤタグのメモリに記憶された情報がリーダで読み取られて情報が漏えいされたり、またＲＦＩＤタグのメモリに不正に情報が書き込まれるなどの危険性があるという問題がある。
【発明の開示】
【発明が解決しようとする課題】
【０００４】
本発明は、ＲＦＩＤタグを有する郵便葉書が、受取人に渡る前の郵送途中の段階で、不正に第三者によりＲＦＩＤタグのメモリに記憶された情報がリーダで読み取られて情報が漏えいされたり、またＲＦＩＤタグのメモリに不正に情報が書き込まれるなどされることを防止できる隠蔽葉書および隠蔽葉書用フォームを提供する。
【課題を解決するための手段】
【０００５】
本発明の隠蔽葉書は、略葉書大の大きさに区画された第１〜第３の３つの帳票部を有する基材が、略葉書大の大きさとなるようにＺ状に折り畳まれ、更に再剥離可能に接着されてなる構成を有する葉書であって、前記Ｚ状に折り畳まれた基材のうち、中央部に重ね合わされている第２の帳票部の基材にＲＦＩＤタグが内蔵され、更に、前記第１の帳票部と前記第２の帳票部が重ね合わされている間、または前記第２の帳票部と前記第３の帳票部が重ね合わされている間に、金属性隠蔽層が設けられていることを特徴とする。
【０００６】
また、本発明の隠蔽葉書は、略葉書大の大きさに区画された第１〜第３の３つの帳票部を有する基材が、略葉書大の大きさとなるようにＺ状に折り畳まれ、更に再剥離可能に接着されてなる構成を有する葉書であって、前記Ｚ状に折り畳まれた基材のうち、中央部に重ね合わされている第２の帳票部の基材にＲＦＩＤタグが内蔵され、更に、前記第１の帳票部と前記第２の帳票部とが重ね合わされている間と、前記第２の帳票部と前記第３の帳票部とが重ね合わされている間とに、それぞれ金属性隠蔽層が設けられていることを特徴とする。
【０００７】
更に、本発明の隠蔽葉書用フォームは、略葉書大の大きさに区画され、Ｚ状に折り畳んで使用する第１〜第３の３つの帳票部からなる基材と、前記基材面に形成された再剥離可能な接着剤層とを有する隠蔽葉書用フォームであって、前記基材における３つの帳票部うち、Ｚ状に折り畳んだ際に、中央部に重ね合わされる第２の帳票部の基材にＲＦＩＤタグが内蔵され、前記第１の帳票部の基材裏面側に金属性隠蔽層が形成されていることを特徴とする。
【０００８】
また、本発明の隠蔽葉書用フォームは、略葉書大の大きさに区画され、Ｚ状に折り畳んで使用する第１〜第３の３つの帳票部からなる基材と、前記基材面に形成された再剥離可能な接着剤層とを有する隠蔽葉書用フォームであって、前記基材における３つの帳票部うち、Ｚ状に折り畳んだ際に、中央部に重ね合わされる第２の帳票部の基材にＲＦＩＤタグが内蔵され、前記第３の帳票部の基材表面側に金属性隠蔽層が形成されていることを特徴とする。
【発明の効果】
【０００９】
本発明の隠蔽葉書は、ＲＦＩＤタグが内蔵された葉書の基材が、金属性隠蔽層が形成されている部分と重なり合っているので、外部のリーダライタとＲＦＩＤタグとが通信できない状態となり、ＲＦＩＤタグを有する郵便葉書が、受取人に渡る前の郵送途中の段階で、不正に第三者によりＲＦＩＤタグのメモリに記憶された情報がリーダで読み取られて情報が漏えいされたり、またＲＦＩＤタグのメモリに不正に情報が書き込まれるなどされることを防止することができるという効果がある。
【００１０】
また、本発明の隠蔽葉書用フォームは、フォームを葉書の状態に折り畳んで接着させた際に、ＲＦＩＤタグが内蔵された葉書の基材を、金属性隠蔽層が形成されている部分に重なり合わせた状態とすることができるので、外部のリーダライタとＲＦＩＤタグとが通信できない状態にでき、作成されたＲＦＩＤタグを有する郵便葉書が、受取人に渡る前の郵送途中の段階で、不正に第三者によりＲＦＩＤタグのメモリに記憶された情報がリーダで読み取られて情報が漏えいされたり、またＲＦＩＤタグのメモリに不正に情報が書き込まれるなどされることを防止することができるという効果がある。
【発明を実施するための最良の形態】
【００１１】
以下、本発明の実施形態に係る隠蔽葉書および隠蔽葉書用フォームについて、図面に基づいて詳細に説明する。
図１は、本発明の実施形態に係る隠蔽葉書用フォームを示す表面展開図、図２は、本発明の実施形態に係る隠蔽葉書用フォームを示し、図１に示す隠蔽葉書用フォームを上下方向に回転させた状態を示す裏面展開図、図３は、図１のＡ−Ａ線断面図、図４は、ＲＦＩＤタグの表面図、図５は、本発明の実施形態に係る隠蔽葉書用フォームから隠蔽葉書を作成した状態を示す斜視図、図６は、図５のＢ−Ｂ線断面図である。
【００１２】
図１に示すように、本発明の実施形態に係る隠蔽葉書用フォーム１は、ミシン目などによる折曲予定線２ａ，２ｂと、同じくミシン目などによる切取予定線３ａ，３ｂとが基材４に形成されており、各予定線によって、基材４が、葉書大の大きさからなる第１〜第３の３つの帳票部１ａ，１ｂ，１ｃに区画されている。
尚、葉書大の大きさとは、長辺の寸法が１４０〜１５４ｍｍ、短辺の寸法が９０〜１０７ｍｍである。
また、葉書が形成された場合の重量は、２〜６ｇとなるように構成されている。
また、切取予定線３ａ，３ｂから両端側の基材４の部分には、連続状態の隠蔽葉書用フォーム１をプリンターやメールシーラーなどで搬送する際に使用するマージナルパンチ孔５が等間隔で形成されているマージナルパンチ部６であり、このマージナルパンチ部６は、隠蔽葉書用フォーム１から隠蔽葉書を作成する際に切り取られる。
【００１３】
また、第２の帳票部１ｂの裏面には、「郵便はがき」の文字１３が印刷され、更に、第１の帳票部１ａには、第１の帳票部１ａに第２の帳票部１ｂを重ね合わせた際に、「郵便はがき」の文字が表側から目視できるように５つの孔１４が形成されている。
更に、第２の帳票部１ｂがある基材１の内部には、ＲＦＩＤタグ８が内蔵されている。
このＲＦＩＤタグ８は、基材１に内蔵させるために、基材１の用紙内に漉き込むなどして埋め込まれている
ここで言う「ＲＦＩＤタグ」とは、「ＩＣチップ」を備え、非接触でリーダライタ装置などと無線通信ができる発信回路を有する媒体であり、様々な形状のものがある。
一般的に、「ＲＦＩＤタグ」は、「ＩＣタグ」、「非接触ＩＣタグ」、「非接触データキャリア」、「非接触ＩＣカード」等とも表現されている。
また、本発明では、葉書用フォームの基材１に内蔵させる必要があるので、基材１の厚さよりも薄いカード状のＲＦＩＤタグを用いる。
【００１４】
図４に基づいて、ＲＦＩＤタグ８の構成について説明する。
ＲＦＩＤタグ８は、プラスチック等の基材８１に送受信手段であるコイルパターン８８が形成され、当該コイルと容量素子とにより共振回路を形成して一定周波数の電波を受信し送信することができるように構成されている。
また、他の方式として、リーダライタからの搬送波の電磁誘導により電力伝送及びデータ伝送を行うようにしてもよい。
一般的には、１３５ｋＨｚ（中波）、１３．５６ＭＨｚ、２．４５ＧＨｚ（マイクロ波）、ＵＨＦの周波数帯が使用される。
【００１５】
図示した例の場合、コイルパターン８８は、導通部材８４により基材８１の裏面でジャンピング回路を形成してコイル接続端子８８ＣによりＩＣチップ８２の裏面のバンプに接続している。
ＩＣチップ８２には、ＣＰＵと、メモリとが備えられている。
【００１６】
図示した例では、容量素子はＩＣチップ８２に内蔵されている。
このようなＲＦＩＤタグ８は、樹脂基材にラミネートしたアルミ箔等の金属箔をフォトエッチングやレジスト印刷後のエッチングによりコイルパターンを形成し、ＩＣチップ８２を装着し、保護用の被覆を設けることにより形成することができる。
その大きさも７６ｍｍ×４５ｍｍ程度以下のサイズとすることができる。
【００１７】
ＲＦＩＤタグ８に使用する樹脂基材８１としては、ＰＥＴやポリプロピレン、ポリエチレン、ポリスチレン、ナイロン等の各種材料を使用することができ、紙であってもよい。
厚みは１５〜３００μｍが使用できるが、強度、加工作業性、コスト等の点から２０〜１００μｍがより好ましい。
金属箔としては銅箔やアルミ箔あるいは鉄箔を使用できるが、コスト、加工性からアルミ箔が好ましく、その厚みは６〜５０μｍ程度が好ましい。
【００１８】
これらのＲＦＩＤタグ８に記録した情報の読み取りや情報の書き込みは、リーダライタからＲＦＩＤタグ８に対して共振する呼び出し信号を発信し、数ｃｍから数十ｃｍの距離でＲＦＩＤタグ８からの応答信号を読み、且つＲＦＩＤタグ８のＩＣチップ８２の記憶手段であるメモリに記録された情報を読み取ったり、情報を書き込んだりすることができる。
【００１９】
そして、ＲＦＩＤタグ８は、隠蔽葉書用フォーム１の基材４に内蔵される際に、図３に示すように、ＲＦＩＤタグ８のコイルパターン８８が形成される側の面が下側となる状態で内蔵されていることが好ましい。
これは、隠蔽葉書用フォーム１をＺ状態に折り曲げて隠蔽葉書を形成させた際に、金属性隠蔽層が２層重ね合わせた状態となることで、リーダライタからコイルパターン８８に対する通信をより完全に遮断して不正な読み取りや書き込みを防止することができるからである。
【００２０】
また、隠蔽葉書用フォーム１の基材４の表裏面には、それぞれ感圧性の再剥離性接着剤層９，１０が形成されている。
更に、第１の帳票部１ａにおける基材４の裏面側と、第３の帳票部１ｃの表面側とには、金属性隠蔽層１１，１２がそれぞれ形成されている。
金属性隠蔽層１１，１２が形成されている領域は、少なくとも隠蔽葉書用フォーム１の基材４を折曲予定線２ａ，２ｂからＺ状に折り曲げて重ね合わせた状態とした際に、ＲＦＩＤタグ８が内蔵されている部分と、金属性隠蔽層１１，１２が形成されている領域とが重なる位置となるようにしてある。
【００２１】
これにより、ＲＦＩＤタグ８が漉き込まれて内蔵されている基材１面上に、金属性隠蔽層１１，１２を重なり合わせることができ、リーダライタによりＲＦＩＤタグ８との通信が行なえない状態とすることができる。
また、金属性隠蔽層１１，１２が形成されている領域は、感圧性の再剥離性接着剤層９，１０が形成されている領域よりも狭い領域となっている。
これにより、基材４を折曲予定線２ａ，２ｂからＺ状に折り曲げて重ね合わせ、また上下方向から加圧処理した際に、感圧性の再剥離性接着層９，１０同士により第１〜第３の３つの帳票部１ａ，１ｂ，１ｃを接着一体化させることができるようにしてある。
【００２２】
上記において、隠蔽葉書用フォーム１の基材４としては、例えば、上質紙、コート紙、キャストコート紙、カード用紙、合成紙等を使用できる。
ＮＩＰ印字を前提とする場合には、「ＮＩＰ用上質紙」という、ＮＩＰで印字したときの熱の影響を考慮した７０〜９０Ｋｇ／四六程度の用紙が一般的に用いられている。
紙基材には、その一面に再剥離性の感圧接着剤が塗布され、他の一面に強圧で強接着する感圧接着剤が塗布された塗工紙を使用する。
【００２３】
また、感圧性の再剥離性接着層を形成する接着剤は、特開平8−４８９５６号公報に記載されるところであるが、その組成は、天然ゴムラテックス等の粘着主剤に、ロジン、水添ロジン等の粘着付与剤、マイクロシリカ、炭酸カルシウム等の無機充填剤、コーンスターチ、セルロース粉末等の添加剤、γ-メルカプトプロピルトリメトキシシラン等のシランカップリング剤を一定割合で添加し、さらに必要に応じて、ポリビニルアルコール等のように、粘着主剤と相溶性を有しない樹脂やその他の添加剤を添加したものとすることができる。
【００２４】
この接着剤は、紙面に塗工、乾燥した後の常温、常圧では粘着性を示さず、さらさらした状態であり、塗工面を重ねてメールシーラーで強圧をかけることにより粘着または接着することが知られている。
印字は粘着剤塗工面に対して行われ、印字後に圧着して再剥離する場合は、印字部および双方の粘着剤面間から剥離することになる。
この際、剥離面に形成した情報表示を破壊することなく再剥離可能となっている。
剥離する紙面の片方を，粘着剤を塗工しないかオーバープリント層を設けるなどして再剥離性とすることもできる。
一般的には感圧粘着剤の塗布量は、乾燥後で１．０ｇ／ｍ2 〜5 ．０ｇ／ｍ2程度が好ましい。
【００２５】
強接着する接着剤は同一のメールシーラーで処理し同一の取り扱いがされるため、ブロッキング性がなく強圧により接着性を示す接着剤を使用する。
基本的には上記接着剤と同様の組成のものを使用できるが、再剥離性や筆記性を考慮する必要がないので無機充填剤等の添加量を調整することができる。
単に、上記接着剤の塗布量を多くするものであってもよい。
金属性隠蔽層１１，１２は、金属ペースト状インキを使用してベタ印刷を行なうことで形成する。
【００２６】
次に、本発明の隠蔽葉書用フォーム１を用いて、隠蔽葉書を作成する方法を説明する。
図５に示すように、隠蔽葉書用フォーム１の第１の帳票部１ａに宛先の住所や氏名をプリント出力すると共に、第２の帳票部１ｂと第２の帳票部１ｃにも必要に応じて種々の情報をプリント出力する。
また、リーダライタを用いて、ＲＦＩＤタグ８に記憶させるための情報を送信してＲＦＩＤタグ８のメモリに書き込む。
このようにして、隠蔽葉書用フォーム１にプリント出力し、更にＲＦＩＤタグ８のメモリに所望の情報を書き込んだ後に、基材４を折曲予定線２ａ，２ｂからＺ状に折り曲げて重ね合わせ、また上下方向から加圧処理することで、感圧性の再剥離性接着層９，１０により第１〜第３の３つの帳票部１ａ，１ｂ，１ｃを接着させ、更に切取予定線３ａ，３ｂからスリッタにより切断させる。
以上の処理により、図６に示すような構造の隠蔽葉書１３が作成される。
【００２７】
したがって、隠蔽葉書１３は、略葉書大の大きさに区画された第１〜第３の３つの帳票部１ａ，１ｂ，１ｃを有する基材４が、略葉書大の大きさとなるようにＺ状に折り畳まれ、更に再剥離可能に接着されてなる構成を有している。
また、隠蔽葉書１３は、Ｚ状に折り畳まれた基材４のうち、中央部に重ね合わされている第２の帳票部１ｂの基材４にＲＦＩＤタグ８が内蔵され、更に、第１の帳票部１ａと前記第２の帳票部１ｂの間と、第２の帳票部１ｂと第３の帳票部１ｃの間とに、それぞれ金属性隠蔽層１１，１２が設けられており、隠蔽葉書１３が開封される前の状態では、リーダライタからの送信信号をＲＦＩＤタグ８が受信できないようにしてある。
この状態で、隠蔽葉書１３が郵送される。
【００２８】
そして、隠蔽葉書１３の受取人が、隠蔽葉書１３を受け取った後に、第３の帳票部１ｃと第２の帳票部１ｂとの間から剥離することで開封することで、金属性隠蔽層１２が剥がされて、ＲＦＩＤタグ８がリーダライタと通信可能な状態となる。
これにより、ＲＦＩＤタグ８のメモリに記憶されている情報を利用して種々の処理を行なえるようにしてある。
【００２９】
また、図１に示すように、第２の帳票部１ｂと第３の帳票部１ｃの外周縁にベタ印刷１５を施すことで、葉書を剥す際のきっかけを設けることが好ましい。
【図面の簡単な説明】
【００３０】
【図１】本発明の実施形態に係る隠蔽葉書用フォームを示す表面展開図である。
【図２】本発明の実施形態に係る隠蔽葉書用フォームを示し、図１に示す隠蔽葉書用フォームを上下方向に回転させた状態を示す裏面展開図である。
【図３】図１のＡ−Ａ線断面図である。
【図４】ＲＦＩＤタグの表面図である。
【図５】本発明の実施形態に係る隠蔽葉書用フォームから隠蔽葉書を作成した状態を示す斜視図である。
【図６】図５のＢ−Ｂ線断面図である。
【符号の説明】
【００３１】
１  隠蔽葉書用フォーム
１ａ，１ｂ，１ｃ  帳票部
２ａ，２ｂ  折曲予定線
３ａ，３ｂ  切取予定線
４，８１  基材
５  マージナルパンチ孔
６  マージナルパンチ部
８  ＲＦＩＤタグ
９，１０  再剥離性接着層
１１，１２  金属性隠蔽層
１３  「郵便はがき」の文字
１４  孔
１５  ベタ印刷
８２  ＩＣチップ
８４  導通部材
８８  コイルパターン
８８Ｃ  コイル接続端子
【図１】
2007001217.tif 000003
【図２】
2007001217.tif 000004
【図３】
2007001217.tif 000005
【図４】
2007001217.tif 000006
【図５】
2007001217.tif 000007
【図６】
2007001217.tif 000008